(57)【要約】  包装材料ラミネート構造は、第１の面、第１の面と反対側の第２の面、及び、弱化領域を含んでいる。開封装置には、第１の面上の第１の部分と、第２の面上の第２の部分と、両方の部分を弱化領域を通って接続する第１の材料ブリッジと、が設けられている。消費者開封領域は、包装材料ラミネート上に画定されており、消費者開封領域を開封するためのプラスチック製開封装置を使用すると、包装材料ラミネートが破断するように設定されている。消費者開封領域に隣接する注出支援装置は、第１の面に配置された注出部と第２の面に配置された支援部とを有しており、注出部と支援部とは、弱化領域を通る第２の材料ブリッジによって接続されている。
2017514765.tif 000002
【特許請求の範囲】
【請求項１】
包装材料ラミネート構造（６０）であって、
‐第１の面、前記第１の面と反対側の第２の面、及び、弱化領域（６２）と、
‐第１の部分（６３）が前記第１の面に、第２の部分（６３ａ）が前記第２の面に配置されたプラスチック製開封装置（６３）であって、前記プラスチック製開封装置の前記第１の部分及び第２の部分（６３、６３ａ）は、前記弱化領域（６２）を通る第１の材料ブリッジによって接続されているプラスチック製開封装置（６３）と、
‐前記包装材料ラミネート構造（６０）上の消費者開封領域（６４）であって、その包装材料ラミネートは、前記消費者開封領域（６４）を開封するための前記プラスチック製開封装置（６３）を使用すると、決められた方法で破断する消費者開封領域（６４）と、
‐前記消費者開封領域（６４）に隣接する、前記第１の面に配置された注出部と前記第２の面に配置された支援部（６７ａ）とを有する注出支援装置（６５）であって、前記注出部と前記支援部（６７ａ）とは、前記弱化領域（６２）を通る第２の材料ブリッジによって接続される注出支援装置（６５）と、
を含む包装材料ラミネート構造（６０）。
【請求項２】
前記プラスチック製開封装置の前記第２の部分（６３ａ）と、前記注出支援装置の前記支援部（６７ａ）とが、前記第２の面に、一体的な部分（６７）を形成している、請求項１に記載の包装材料。
【請求項３】
バルク層、バリア層、及び、少なくとも１つのラミネート層を含んでおり、前記弱化領域には、少なくとも前記バルク層が欠けている、請求項１又は２に記載の包装材料ラミネート。
【請求項４】
さらに１つ又は複数の弱化領域又は弱化線（６１）を含んでおり、前記弱化領域又は前記弱化線（６１）は、前記消費者開封領域（６４）を画定しており、前記包装材料ラミネートは、開封の間に、前記弱化領域又は前記弱化線（６１）に沿って、少なくとも部分的に破断する、請求項１から３のいずれか一項に記載の包装材料ラミネート。
【請求項５】
前記１つ又は複数の弱化領域又は弱化線（６１）が、前記弱化領域（６２）に隣接して配置されており、前記消費者開封領域（６４）を開封するために、前記包装材料ラミネートの破断を支援している、請求項４に記載の包装材料。
【請求項６】
前記第２の面の前記第２の部分（６３ａ）が、少なくとも部分的に、前記第１の面の前記１つ又は複数の弱化領域又は弱化線（６１）につながる弱化線を含んでいる、請求項４又は５に記載の包装材料。
【請求項７】
前記第２の部分（６３ａ）が、少なくとも部分的に前記弱化領域（６２）と重複している弱化線を含む、請求項１から６のいずれか一項に記載の包装材料。
【請求項８】
前記注出部（６５）が、前記弱化領域（６２）及び前記消費者開封領域（６４）の内の１つの横寸法よりも大きい横寸法を有している、請求項１から７のいずれか一項に記載の包装材料。
【請求項９】
前記注出部が、前記包装材料ラミネートの前記第１の面から離れた注ぎ口（６５ａ）を含んでいる、請求項１から８のいずれか一項に記載の包装材料。
【請求項１０】
前記注ぎ口が、横方向に湾曲した形状を有しており、前記注ぎ口の最も外側の縁部は、前記注ぎ口の中央部分よりも、前記包装材料ラミネートに対して大きな距離を有している、請求項９に記載の包装材料。
【請求項１１】
前記第２の材料ブリッジの横寸法が、前記第１の材料ブリッジ及び注出部の内の１つの横寸法よりも小さい、請求項１から１０のいずれか一項に記載の包装材料。
【請求項１２】
請求項１から１１のいずれか一項に記載の包装材料を含む液体のための容器。
【請求項１３】
注出支援装置の最も外側の縁部が、容器のリッジ（６８）よりも突出している、請求項１２に記載の容器。
【発明の詳細な説明】
【技術分野】
【０００１】
本発明は、包装材料ラミネート構造、及び、その容器に関する。
【背景技術】
【０００２】
液状食品のための、使い捨ての消耗型の包装容器は、多くの場合、板紙又はボール紙に基づく包装材料から形成されている。このような容器は、例えば牛乳、フルーツジュース等の液状食品の無菌包装に用いられ、雰囲気下での長期保存向けに市販されている。この従来の包装容器における包装材料は、典型的にはラミネートであり、当該ラミネートは、紙又は板紙のバルク層と、外側の熱可塑性プラスチックの液密層と、最も一般的にはアルミニウムホイルであるガスバリア層と、最後に、ヒートシール可能な接着性ポリマー及び／又はヒートシール可能なポリオレフィンを含む１つ又は複数の部分層から成る１つ又は複数の内側層と、を含んでいる。
【０００３】
一般的に、包装容器は、消費者による開封を容易にするために、開封装置を有しており、例えば特許文献１及び特許文献２で議論されているような、プルタブ又は成形開封装置を含む様々な異なる種類の開封装置を有している。
【０００４】
包装容器は、一般的に、包装材料のウェブから、又は、既製のブランクからパッケージを連続的に形成、充填及び密封するタイプの、最新の高速包装機械によって製造される。典型的には、１時間につき、数千のパッケージが作製され得る。
【０００５】
努力及び成果にも関わらず、このような容器のための確実で安価な開け口に対する必要性が、依然として存在している。
【先行技術文献】
【特許文献】
【０００６】
【特許文献１】国際公開第０３／０９５１９９号
【特許文献２】国際公開第２００９／０００９２７号
【特許文献３】国際公開第２００４／０８９６２８号
【発明の概要】
【発明が解決しようとする課題】
【０００７】
本発明は、独立請求項１に記載の対象を有する包装材料ラミネート構造と、当該包装材料ラミネート構造の独立請求項１９に記載の包装容器とを提案している。
【課題を解決するための手段】
【０００８】
一態様において、包装材料ラミネート構造は、第１の面、第１の面とは反対側の第２の面、及び、弱化領域(attenuated area)を含んでいる。第１の面は、外側又は装飾層の面を指しており、当該面は、消費者にとって視認可能である。第２の面は、通常、飲料又は液体と接触する内側面を指している。プラスチック製開封装置は、第１の部分が第１の面に、第２の部分が第２の面に配置されており、プラスチック製開封装置の第１の部分と第２の部分とは、弱化領域を通る第１の材料ブリッジによって接続されている。このようなブリッジも、第１の部分及び第２の部分も、成形によって、特に射出成形によって形成可能であり、第１の部分及び第２の部分を形成する溶融材料は、弱化領域を貫通し、ブリッジを形成している。
【０００９】
消費者開封領域は、包装材料ラミネート上に、１つ又は複数の弱化領域又は線によって、包装材料ラミネートが消費者開封領域を開封するためにプラスチック製開封装置を用いると破断するように画定されている。最後に、注出支援装置が、消費者開封領域に隣接して設けられている。注出支援装置は、第１の面に配置された注出部と、第２の面に配置された支援部とを有している。注出部と支援部とは、弱化領域を通る第２の材料ブリッジによって接続されている。
【００１０】
本発明は、安価で容易な開け口を供給する一方で、特に前記材料から形成され、液体で完全に、又は、かなり高いレベルまで充填された包装容器において、優れた注出を維持している。
【００１１】
一態様において、注出支援部は、第１の面上の開封装置からは分離している。より具体的に言うと、開封装置の第１の部分と注出支援装置の注出部とは、第１の面上では分離している。開封装置の第２の部分と注出支援装置の支援部とはそれぞれ、第２の面上で共通の部分を形成し得る。
【００１２】
包装材料ラミネート構造は、バルク層、バリア層、及び、少なくとも１つのラミネート層を含んでいて良く、弱化領域は、少なくともバルク層に欠けている。本発明の目的に適した包装材料の層は、特許文献３又は特許文献１に詳細に記載されており、その包装材料構造に関する内容は、参照によって本出願に組み込まれる。
【００１３】
別の態様では、包装材料ラミネートは、１つ又は複数の弱化領域又は線を含んでいる。これらの線は、消費者開封領域を画定している。さらに、消費者開封領域が開封される間に、包装材料ラミネートは、それらの弱化線に沿って破断する。言い換えると、弱化線は、包装材料ラミネートがそれらの線に沿って破断することを容易にする。さらなる態様では、１つ又は複数の弱化領域又は線が、弱化領域に隣接して配置され、それによって、消費者開封領域を開封するために、包装材料ラミネートの破断が支援される。
【００１４】
本発明の別の態様は、包装材料ラミネート構造の内側面に関する。一態様では、第２の内側面における開封装置の第２の部分は、少なくとも部分的に、第１の面における１つ又は複数の弱化領域又は線に続く弱化線を含んでいる。言い換えると、製造プロセスの間に包装材料ラミネートの第２の面に堆積する材料は、１つ又は複数の弱化線も含んでおり、それによって、決められた方法による包装材料ラミネートの破断が容易になる。
【００１５】
加えて、第２の部分は、少なくとも部分的に弱化領域と重複する弱化線を含んでいて良い。まず消費者開封領域を開封する際に弱化領域が破断すると、第２の部分上の弱化線は、さらに、所定の方法における破断を支援する。第２の部分と注出支援装置の支援部とは、第２の面に、一体的な共通部分を形成することが可能である。それによって、パッケージを開封する際のロバスト性が増大し得る。
【００１６】
別の態様では、注出部は弱化領域及び消費者開封領域の内１つの横寸法よりも大きい横寸法を有している。弱化領域を越える注出部の部分は、包装材料層の最も上側の材料層にわずかに接続されていても良いが、そうでなければ、材料ブリッジに直接にはリンクし得ない。言い換えると、本態様では、注出支援装置の材料ブリッジは、弱化領域のみを貫通するのであり、バルク層又はバルク層を含む包装材料ラミネート構造全体を貫通するものではない。
【００１７】
一態様において、第２の材料ブリッジの横寸法は、第１の材料ブリッジ及び／又は注出部の内の１つの横寸法よりも小さい。
【００１８】
注出部は、第１の面から離れた注ぎ口を含んでいて良い。当該注ぎ口は、横方向に湾曲した形を有しており、注ぎ口の最も外側の縁部は、注ぎ口の中央部分よりも、包装材料に対して大きな距離を有している。
【００１９】
包装材料ラミネートは、本発明に係る開け口及び注出支援装置を有する容器を製造するために使用可能である。
【００２０】
以下に、添付された図面を用いて、本発明を詳細に説明する。
【図面の簡単な説明】
【００２１】
【図１】本発明の一態様に従うパッケージの斜視図である。
【図１Ａ】本発明に係る注出支援装置の正面図である。
【図１Ｂ】注出支援装置の側面図である。
【図２】本発明に係る包装容器のための包装材料ラミネートの一態様を示す図である。
【図３】本発明に従う開け口の別の例を示す図である。
【図４】本発明に係る開け口のさらなる態様を示す図である。
【図５】本発明に係る一態様の底面図である。
【発明を実施するための形態】
【００２２】
類似の参照符号は、同じ又は類似の特徴を指している。
【００２３】
以下において、「横の」又は「横方向Ｌ」という用語は、パッケージの通常の注ぎ方向に対して垂直な方向を指している。「縦の」又は「縦方向Ｄ」という用語は、通常の注ぎ方向を指している。従って、「Ｔ」という用語は、残りの高さ方向を指している。従って、「横寸法」、「縦寸法」又は「高さ寸法」は、特徴のそれぞれの方向における寸法を指している。
【００２４】
図１は、本発明に係る、後述の材料から形成された包装容器６０の一例を示している。包装容器は、特に、飲料、ソース、スープ等の液状食品又は半液状食品に適している。典型的に、そのようなパッケージは、約１００ｍｌから約２０００ｍｌの容積を有している。
【００２５】
当該包装容器は、ブリックタイプであり、開封装置６３が成形された上面と、高さ方向及び縦方向のシール５６及び５７と、をそれぞれ含んでいる。開封装置は、タブの形状を有しており、弱化部６２を通って射出成形されている。「射出成形」という用語は、製造プロセスの間に、タブ６３及びパッケージ内部の対応する部材（図示せず）を形成するために、弱化部を通ってプラスチック材料を注入することを意味している。射出成形プロセスの間に、プラスチックは弱化部６２を貫通し、弱化部６２を通る材料ブリッジを形成している。タップを引くことによって容器を開封する際、ブリッジ及び内側部分は、ミシン目６１の破断に必要な力を克服するための剛性及び安定性を提供する。
【００２６】
弱化部６２は、前もってラミネート加工された穴であり、つまり、容器６０のボール紙はこの領域において除去され、１つのみ、又は、複数のプラスチック層及び／又はアルミニウムホイル層が設けられている。
【００２７】
弱化部６２を始点として、２つの弱化線６１が設けられており、当該弱化線は、弱化部６２から、タブ６３が配置されている方向とほぼ同じ方向に延在している。ミシン目から成る弱化線６１は、消費者領域６４を画定している。包装容器６０を開封する際、当該領域は、タブ６３を引っ張ることによって破断し、それによって、液体を注ぐための開け口が形成される。
【００２８】
包装容器は、注出支援装置６５も含んでおり、当該注出支援装置は、湾曲した蓋の形状を有し、包装容器の側面に付着したフラップ６７から突出している。注出支援装置６５の横寸法（横方向Ｌにおける寸法）は、弱化部又は穴６２の寸法より大きい。しかしながら、支援装置６５の中間部分は、弱化部６２よりも上方に配置されており、やはり射出成形されている。射出成形によって、注出支援装置の一部は、弱化部６２を貫通し、ブリッジを形成し、パッケージ内側の対応する部分に接続されている。その内側部分は、やはりタブ６３に接続された内側部分に接続されており、共通の内側部分を形成している（図示せず）。適切な注出を容易にするために、注出支援装置６５の横寸法を、消費者領域６４の最大横寸法に類似させることが可能である。弱化部６２を越える注出支援装置の領域６９は、包装材料ラミネート６０の最上層とわずかにのみ接続されている。これらは、直接には材料ラミネートに及んでおらず、弱化部６２における場合と同じように、ブリッジを形成している。注出支援装置６５は、縦方向において湾曲した形状を有しており、当該形状は、包装容器表面から離れている。最も外側の縁部６６は、パッケージの縁部６８に対して実質的に平行に配置されているが、正面から見るとわずかに湾曲している。
【００２９】
図１Ａは、注出支援装置６５の正面図である。前端６６は、円形セグメントの形状に造形されており、「笑み」の形に類似している。上側表面６５ａの部分は、唇の形状に類似した特殊な形状ゆえに視認可能である。唇が「笑う」ときの形をしている結果、唇の中央部分の包装材料からの距離は、最も外側の縁部の包装材料からの距離よりも小さい。これによって、注ぐ際に、液体が中央部分に沿って流れることが可能になり、注ぎ損ねが少なくなる。図１Ｂは、注出支援装置６５の側面図を示している。参照符号「Ｌ」、「Ｄ」、「Ｔ」は、それぞれの方向を示している。
【００３０】
図２は、包装材料２０のウェブの一部の第１の面の概略図である。図示のために、図２は、単独の包装容器のための包装材料のレイアウトを含んでいる。包装材料は、個別のブランクから形成されるか（まさに１つの容器のレイアウトが示されている、図２の態様のように）、又は、複数のウェブが互いに重なるように配置された、連続的なウェブの形で形成され得る。
【００３１】
各レイアウト又はブランクは、弱化線又は領域２１を有しており、当該弱化線又は領域は、図示された態様では、弱化部又は穴２２と直接接触している。このステップにおける穴２２は、すでにラミネート加工されている。つまり、いくつか、又は、より多くのアルミニウムホイルの層及び／又はＬＤＰＥ若しくはＰＰのようなプラスチックの層が、ボール紙の層に、効果的に穴２２を閉じるようにラミネート加工されている。これらの層は、容器の最終段階において、酸素バリア及び光バリアとして作用する。
【００３２】
弱化線２１は、少なくとも部分的に、消費者開封領域２４を画定しており、当該消費者開封領域は、例えば弱化線又は領域２１によって画定される領域より大きくても小さくても良い。当該態様では、弱化線はミシン目で形成され、わずかにＳ形であり、このＳ形は、穴２２に隣接する膨らみを備えている。このような膨らみの最大寸法ｙ（横方向）は、２つの弱化線２１によって囲まれた領域の遠位領域における寸法ｘよりも大きい。
【００３３】
図２の包装材料のウェブは、いくつかの折線２５も含んでおり、当該折線は、包装容器の形成及び折畳みを補助するためのものである。包装容器の製造プロセスの間に、当該ウェブは、これらの折線に沿って折り畳まれ、その結果、訴求力のある（appealing）外観が提供される。穴２２が配置された領域は、出来上がった包装容器の上面に配置されるであろう。
【００３４】
包装容器はタイプ別に、固有の折り畳みパターンを有しており、それによって、異なる形状の包装容器が形成される。
【００３５】
図２の態様に係る包装材料は、最上部に、紙又は板紙の層に付着した、適切なＬＤＰＥ又はＰＰのようなポリオレフィンの装飾層を含んでいる。当該装飾層を、例えば、カバーに、紙又は板紙層上の印刷されたパターン、穴２２及び弱化線２１を供給するために用いることが可能である。装飾層の反対側の板紙層は、ＬＤＰＥ又はＰＰのような適切なポリオレフィンから選択されたラミネート層を有している。当該ラミネート層は、酸素バリア層への接着を供給しており、当該酸素バリア層もまた、装飾層の反対側の紙又は板紙層の側に配置されている。バリア層は、包装されるべき製品によって決定される特定の必要に応じて、酸素バリア、光バリア、水バリア及び蒸気バリア等の、所望のバリアを提供する。当該バリア層は、例えばＰＥＣＶＤコーティングされたフィルムのような、金属化又は蒸着コーティングされた、アルミニウムホイル又は蒸着フィルムであり得る。ラミネート層の反対側には、バリア層上に接着性ポリマーが配置されている。バリア層がアルミニウムホイルである場合、当該接着剤を、例えば、押出コーティングによって塗布しても良く、当該接着剤は、Ｎｕｃｒｅｌ（登録商標）という商品名で市販されている適切な接着剤であり得る。バリア層の反対の側において、接着剤には、ＰＥ又はＰＰ又はそれらの混合物のような適切なポリオレフィン等の、ヒートシール可能な層が供給される。このヒートシール可能な層は、完成した包装済の包装容器内で製品に接する層である。ヒートシール可能な材料は、押出コーティングによって、又は、フィルムラミネート加工を通じて予め製造されたフィルムによって調達され得る。
【００３６】
図３は、例えば図１又は図２に示されたような、包装材料６０から成る包装容器の外側部分の概略図である。当該態様は、消費者領域６４を開封するための取っ手６３を含んでおり、この取っ手を引張り、ミシン目６１を破断させることによって開封が行われる。取っ手６３は、例えば射出成形等の成形によるプラスチックのタブを含んでいる。この目的のために、プラスチックが、円形の弱化部６２を通って注入され、上側には、視認可能なタブを形成し、下側には、弱化領域及び隣接する包装材料構造の部分をカバーする支持部を形成する。支持部とタブとは、プラスチック材料ブリッジを介して接続されている。当該態様も、わずかに湾曲した形６５ｃを有する注出支援蓋６５を含んでいる。注出支援装置の最も外側の端部６６は、わずかに湾曲しており、包装材料ラミネートの縁部６０ａ及び包装容器から突出している。注出支援装置も、射出成形等によって、弱化領域６２の表面に成形されている。より具体的には、注出支援装置は、射出成形によって形成され、弱化領域６２を通って包装材料の下側表面の支援部（図示せず）に至る材料ブリッジに堅固に接続されている。タップ６３及び注出支援装置６５の両方の支援部は、弱化領域及び包装材料ラミネート６０の隣接領域において、包装材料ラミネートの下側に、共通の支援部を形成する。それによって、消費者が消費者領域を剥ぎ取って開封する際に、強力な支援が得られる。
【００３７】
図５は、包装材料ラミネートを下側から見た図であり、支援部を図示している。支援部６７は、プラスチックで形成された共通の支援部であり、下側の包装材料ラミネート６０に堅固に付着している。第１の支援部６７ａは、材料ブリッジ（図示せず）によって、上側の注出支援装置に接続されている。弱化領域６２ａの領域における第２の支援部６３ａは、タブ６３に接続されている。プラスチックの支援部における弱化線６１ａは、包装材料ラミネート内のミシン目又は弱化線６１に続いている。線６１ａは、消費者領域が所定の弱化線６１に沿って破断することを支援又は容易にするべきである。
【００３８】
図４は、例えば図１に示されたような、包装材料６０から形成された包装容器の外側部分の概略図であり、当該図面には、消費者が開封するための取っ手、すなわち、例えば射出成形等の成形によって形成されたプラスチックのタブであるタブ部６３が含まれている。当該図面はさらに、弱化部又は穴６２と、弱化部６２から延在し、それによって消費者開封領域６４を画定している２つの弱化線６１と、を含んでいる。図３に示された態様と比較すると、図４は、異なる設計の弱化部又は穴６２を図示している。注出支援装置６５の長さは、弱化部６２及び消費者開封領域６４の横寸法よりも大きい。注出支援装置は、射出成形によって、弱化領域に付着している。しかしながら、包装材料ラミネートの上部に配置された部分は、堅固に接続されてはおらず、すなわち、材料ラミネートを通る材料ブリッジは存在しない。注出支援装置は、これらの領域６９において、包装材料層の最上部のラミネート層と接続されるのみで良い。
【符号の説明】
【００３９】
５６  シール
５７  シール
６０  包装材料ラミネート、パッケージ
６１  弱化線、ミシン目
６１ａ  弱化縁部
６２  弱化部、穴
６３  タブ
６４  消費者領域
６５  注出支援装置
６５ａ  上面
６６  注出支援装置の外側縁部
６７  支援部
６９  突出領域
【図１】
2017514765.tif 000003
【図１Ａ】
2017514765.tif 000004
【図１Ｂ】
2017514765.tif 000005
【図２】
2017514765.tif 000006
【図３】
2017514765.tif 000007
【図４】
2017514765.tif 000008
【図５】
2017514765.tif 000009
【国際調査報告】
2017514765.tif 000010
2017514765.tif 000011
2017514765.tif 000012